(57)【要約】【課題】鳥害や、花の傾き、水の蒸発、ボウフラの発生といった問題を解決できるだけでなく、花の姿勢を調節しながら花を立てることができ、綺麗に花を供えることも容易な花立てを提供する。【解決手段】  花立てを、花を挿し込むための花挿込口１が上部に設けられたものとして、花挿込口１の内外に倒伏可能な複数の開閉片３を、花挿込口１の周縁に沿って設けられた複数のヒンジ２に軸支させた。それぞれの開閉片３を内側に倒伏させた際には、それぞれの開閉片３が花挿込口１の周部に覆い被さって花挿込口１が縮小され、それぞれの開閉片３を外側に倒伏させた際には、花挿込口１の周部が現れて花挿込口１が拡大される。【選択図】図１
2010094194.tif 000002
【特許請求の範囲】
【請求項１】
花を挿し込むための花挿込口が上部に設けられた花立てであって、
花挿込口の内外に倒伏可能な複数の開閉片が、花挿込口の周縁に沿って設けられた複数のヒンジに軸支され、
それぞれの開閉片を内側に倒伏させた際には、それぞれの開閉片が花挿込口の周部に覆い被さって花挿込口が縮小され、
それぞれの開閉片を外側に倒伏させた際には、花挿込口の周部が現れて花挿込口が拡大されることを特徴とする花立て。
【請求項２】
開閉片の数が２〜２０個である請求項１記載の花立て。
【請求項３】
花挿込口が多角形に形成され、複数の開閉片が、花挿込口の各辺に沿って設けられた複数のヒンジに軸支された請求項１記載の花立て。
【請求項４】
それぞれの開閉片が、内側に倒伏した際に隣の開閉片と互いに重ならない形状とされた請求項１記載の花立て。
【請求項５】
それぞれの開閉片が、略半円形状又は略半楕円形状に形成されてその弦に一致する部分でヒンジに軸支された請求項１記載の花立て。
【請求項６】
それぞれの開閉片が、内側又は外側に倒伏した際に水平に保たれるようにした請求項１記載の花立て。
【発明の詳細な説明】
【技術分野】
【０００１】
本発明は、花を立てるための花立てに関する。特に、墓前に花を供えるのに好適に用いることのできる墓用の花立てに関する。
【背景技術】
【０００２】
日本では、墓参りの際に墓前に花を供えることが一般的となっている。花を供えるための花立ては、通常、墓石の一部か、墓前に設けられたコンクリート製の台などに対して取り外し可能に埋め込まれており、水の交換や掃除を容易に行うことができるようになっている。しかし、従来の花立ては、花を挿し込むための花挿込口が広く形成されていたため、以下のような欠点を有していた。
【０００３】
すなわち、墓用の花立ては、野外に置かれることが殆どであるため、それに入れられた水や花を目的として、鳥が飛んで来やすかった。このため、花立ての周囲が鳥の糞で汚れたり、花がつつかれて荒らされたりなどの被害が多発していた。また、立てた花が傾きやすく、見た目が悪くなるという欠点もあった。さらに、花立てに入れられた水が蒸発しやすいため、供えた花が短期間で枯れてしまいやすいという欠点もあった。さらにまた、花立てに入れられた水にボウフラなどの虫が湧きやすく衛生的に保ちにくいという欠点もあった。
【０００４】
このような実状に鑑みてか、これまでには、中央に穴が開けられた蓋で花挿込口の周部を覆うことにより、花挿込口を縮小することができるようにした花立てが提案されている（例えば、特許文献１、２を参照）。これらの蓋付きの花立ては、上述した鳥害や、花の傾き、水の蒸発、ボウフラの発生といった種々の問題を解決するのに有効なものである一方、蓋の無い従来の花立てに比べて、以下のような欠点を有していた。
【０００５】
すなわち、特許文献１、２に記載された花立てに花を立てようとした際には、花挿込口に蓋を被せた後に花を挿し込まなければならなかった。花を立てた後に蓋をしようとすると、蓋に設けられた小さな穴に、花や葉っぱを通す必要があり、花や葉っぱが千切れたり、茎が折れたりなど、花が痛むおそれがあるからである。このため、蓋付きの花立ては、花を立てる際に茎の根本を目視しにくいという欠点を有しており、例えば、花立てに立てた花の姿勢を変えようとした際には、茎の根本の位置を調節するといった作業が行いにくいものとなっていた。
【０００６】
特許文献１、２の花立てのように、花立てと蓋とが完全に分離可能なものについては、花立てに花を立てる前に、蓋の穴に茎を通し、その後、花と蓋とを一緒に持ちながら、蓋を花挿込口に被せるといった方法も可能ではあるが、花の向きなどを調節する際に、茎の根本が目視できないことについては同様であった。また、いたずらや風などによって、蓋が持ち去られるおそれもあった。
【０００７】
ところで、特許文献３には、ヒンジを介して蓋を固定した花立てが記載されている。これにより、いたずらや風などによって蓋が持ち去られるのを防ぐことができる。しかし、特許文献３の花立ては、蓋に花挿込口を設けることについては何ら記載されておらず（明細書中、「開口する蓋」という語が用いられているが、明細書全体から判断すると、「開口」という語が「開閉」という意味で用いられていると思われる。）、花を立てる際には、蓋を開いて使用することを想定したものとなっていた。このため、特許文献３の花立ても、上述した課題を解決できるものではなかった。
【０００８】
【特許文献１】実開昭５８−０８５０５３号公報
【特許文献２】実開平０６−０５１４２８号公報
【特許文献３】実登第３１３４８７５号公報
【発明の開示】
【発明が解決しようとする課題】
【０００９】
本発明は、上記課題を解決するためになされたものであり、鳥害や、花の傾き、水の蒸発、ボウフラの発生といった問題を解決できるだけでなく、花の姿勢を調節しながら花を立てることができ、綺麗に花を供えることも容易な花立てを提供するものである。
【課題を解決するための手段】
【００１０】
上記課題は、花を挿し込むための花挿込口が上部に設けられた花立てであって、花挿込口の内外に倒伏可能な複数の開閉片が、花挿込口の周縁に沿って設けられた複数のヒンジに軸支され、それぞれの開閉片を内側に倒伏させた際には、それぞれの開閉片が花挿込口の周部に覆い被さって花挿込口が縮小され、それぞれの開閉片を外側に倒伏させた際には、花挿込口の周部が現れて花挿込口が拡大されることを特徴とする花立てを提供することによって解決される。
【００１１】
本発明の花立ては、従来の蓋付きの花立てにおける蓋に相当する部分が分割可能な形態となっているため、それに花を立てながら、あるいはそれに花を立てた後に開閉片を内側に倒伏させる（以下においては、開閉片を内側に倒伏させることを「開閉片を閉じる」と表現することがある。）ことにより、花挿込口を縮小することができるものとなっている。
【００１２】
したがって、鳥害や、花の傾き、水の蒸発、ボウフラの発生といった問題を解決できるだけでなく、例えば、花挿込口の奥側にある開閉片から順に閉じていき、花を奥側の開閉片から順に支持させ、最後に一番手前に配された開閉片を閉じることなどにより、花の姿勢をその都度調節しながら挿し込むことも可能になるなど、花を綺麗に供えることが容易になる。このように、本発明の花立ては、花の姿勢を、花の種類や本数などに応じて、容易に調節することができるものとなっている。
【００１３】
本発明の花立てにおいて、開閉片の数は、２個以上であれば特に限定されない。しかし、開閉片の数が多すぎると、花立ての構造が複雑になって製造コストが増大するばかりか、開閉片の操作が煩雑になるおそれもある。このため、開閉片の数は、通常、２０個以下とされる。開閉片の数は、１５個以下であると好ましく、１２個以下であるとより好ましい。一方、開閉片の数が少なすぎると、花の姿勢を調節する際の自由度が低くなるおそれがある。このため、開閉片の数は、３個以上であると好ましく、４個以上であるとより好ましい。
【００１４】
また、本発明の花立てにおいて、花挿込口の具体的な形状や、開閉片及びヒンジの具体的な配置は特に限定されない。しかし、できるだけ小さな開閉片で花挿込口の周部を効率的に塞ぐことを考慮すると、花挿込口を多角形に形成し、複数の開閉片を、花挿込口の各辺に沿って設けられた複数のヒンジに軸支すると好ましい。花挿込口の形状は、正多角形であるとより好ましい。具体的には、正三角形、正四角形、正五角形、正六角形、正七角形、正八角形、正九角形、正十角形、正十一角形、正十二角形などが例示される。
【００１５】
さらに、本発明の花立てにおいて、それぞれの開閉片は、内側に倒伏させた際に、隣の開閉片と互いに重なる形状としてもよい。しかし、この場合には、隣り合う開閉片が互いに干渉し合い、一の開閉片を起こそうとした際に、該一の開閉片の隣に配された他の開閉片がつられて起立するなど、それぞれの開閉片を独立して操作できなくなる。このため、それぞれの開閉片は、内側に倒伏させた際に隣の開閉片と互いに重ならない形状とすると好ましい。
【００１６】
具体的に、それぞれの開閉片をどのような形状にするかは、花挿込口の形状などによっても異なり、特に限定されない。しかし、開閉片は、人の手や花の茎などに直接触れるものであるから、閉じた際に内向きになる縁部にできるだけ角が無い形状とすると好ましい。具体的には、それぞれの開閉片を略半円形状又は略半楕円形状に形成し、その弦に一致する部分でヒンジに軸支すると好ましい。
【００１７】
これにより、開閉片を人の手や花の茎を傷つけにくい安全なものとするだけでなく、花立てを日本の墓と意匠的な調和がとれたものとすることも可能になる。また、開閉片を閉じた際に隣り合う開閉片の間に形成される隙間を内側になるに連れて徐々に広くなるように形成することも可能になる。このため、隣り合う開閉片の隙間に花の茎などを保持させることができるため、花の位置決めを容易に行うことも可能になる。
【００１８】
さらにまた、本発明の花立てにおいて、それぞれの開閉片は、内側又は外側に倒伏した際に、傾斜する（非水平となる）ようにしてもよいが、水平に保たれるようにすると好ましい。これにより、開閉片を内側又は外側のどちらに倒伏させても、花立ての見栄えをよくすることが可能になる。また、開閉片を内側に倒伏させた際には、鳥の足の掴み所を無くす（鳥の足の掴み所となり得るエッジが上向きにならないようにする）ことも可能になる。さらに、小さな開閉片で花挿込口の周部を効率的に覆わせることも可能になる。
【発明の効果】
【００１９】
以上のように、本発明によって、鳥害や、花の傾き、水の蒸発、ボウフラの発生といった問題を解決できるだけでなく、花の姿勢を調節しながら花を立てることができ、綺麗に花を供えることも容易な花立てを提供することが可能になる。
【発明を実施するための最良の形態】
【００２０】
本発明の花立ての好適な実施態様を、図面を用いてより具体的に説明する。図１は、本発明の花立てにおける開閉片を外側に倒伏させた状態を示した斜視図である。図２は、本発明の花立てにおける開閉片を内側に倒伏させた状態を示した斜視図である。図３は、本発明の花立てにおける開閉片の周辺を拡大した状態を示した斜視図である。図４は、本発明の花立てにおける開閉片の周辺を拡大してヒンジに平行な方向から見た状態を示した図である。図５は、本発明の花立てを上方から見た状態を示した平面図である。
【００２１】
本発明の花立ては、図１〜図５に示すように、花を挿し込むための花挿込口１が上部に設けられたものとなっている。花挿込口１の周縁には、該周縁に沿って複数のヒンジ２が取り付けられている。それぞれのヒンジ２には、花挿込口１の内外に倒伏可能な開閉片３が軸支されている。開閉片３は、人の手で一つずつ動かすことができるようになっており、それらを内側に倒伏させた際には、それぞれの開閉片３が花挿込口１の周部に覆い被さって花挿込口１が縮小され、それらを外側に倒伏させた際には、花挿込口１の周部が現れて花挿込口１が拡大されるようになっている。
【００２２】
花挿込口１の寸法は、花立ての用途などに応じて適宜決定され、特に限定されないが、墓用の花立てとして利用する場合には、通常、花挿込口１の最大半径（図５のｒｍａｘを参照）が２〜１０ｃｍとなるように設定される。花挿込口１の最大半径ｒｍａｘが２ｃｍ未満であると、花挿込口１が狭くなり、開閉片３を設ける意義が低下するし、花挿込口１の最大半径ｒｍａｘが１０ｃｍを超えると、開閉片３の寸法を大きくする必要があり、花立ての見栄えが悪くなるおそれがあるからである。花挿込口１の最大半径ｒｍａｘは、３ｃｍ以上であると好ましく、４ｃｍ以上であるとより好ましい。一方、花挿込口１の最大半径ｒｍａｘは、９ｃｍ以下であると好ましく、８ｃｍ以下であるとより好ましい。
【００２３】
また、花挿込口１の最大半径ｒｍａｘに対する、開閉片３を閉じた際の花挿込口１の最小半径（図５のｒｍｉｎを参照）の比ｒｍｉｎ／ｒｍａｘも特に限定されないが、小さすぎると、開閉片３を閉じた際の花挿込口１が狭くなりすぎるおそれがある。このため、最大半径ｒｍａｘに対する最小半径ｒｍｉｎの比ｒｍｉｎ／ｒｍａｘは、通常、０．２以上とされる。最大半径ｒｍａｘに対する最小半径ｒｍｉｎの比ｒｍｉｎ／ｒｍａｘは、０．３以上であると好ましく、０．４以上であるとより好ましい。
【００２４】
一方、最大半径ｒｍａｘに対する最小半径ｒｍｉｎの比ｒｍｉｎ／ｒｍａｘを大きくしすぎると、開閉片３を設けた意味が無くなるおそれがある。このため、最大半径ｒｍａｘに対する最小半径ｒｍｉｎの比ｒｍｉｎ／ｒｍａｘは、通常、０．９以下とされる。最大半径ｒｍａｘに対する最小半径ｒｍｉｎの比ｒｍｉｎ／ｒｍａｘは、０．８以下であると好ましく、０．７以下であるとより好ましい。本実施態様の花立てにおいて、最大半径ｒｍａｘに対する最小半径ｒｍｉｎの比ｒｍｉｎ／ｒｍａｘは、０．６強となっている。
【００２５】
花挿込口１の具体的な形状や、開閉片３及びヒンジ２の具体的な配置は特に限定されない。しかし、できるだけ小さな開閉片３で花挿込口１の周部を効率的に塞ぐことを考慮すると、花挿込口１を多角形に形成し、複数の開閉片３を、花挿込口１の各辺に沿って設けられた複数のヒンジ２に軸支すると好ましい。花挿込口１の形状は、正多角形であるとより好ましい。具体的には、正三角形、正四角形、正五角形、正六角形、正七角形、正八角形、正九角形、正十角形、正十一角形、正十二角形などが例示される。本実施態様の花立てにおいて、花挿込口１は正八角形となっている。
【００２６】
開閉片３を軸支するためのヒンジ２は、図５に示すように、この正八角形の花挿込口１における８本の辺に沿って１つずつ設けられている。このため、本実施態様の花立ては、８組の開閉片３とヒンジ２を備えたものとなっている。ヒンジ２を花挿込口１の周縁に固定する手段（ヒンジ固定手段）は、特に限定されない。ヒンジ固定手段としては、ボルト、ネジ、釘などのほか、各種の金具を用いることができる。また、接着剤や接着テープも、ヒンジ固定手段として用いることができる。さらに、これらのうちから複数種を組み合わせて用いることもできる。
【００２７】
開閉片３の形状は、既に述べた通り、花挿込口１の形状などによっても異なり、特に限定されない。開閉片３は、三角形や四角形などの多角形であってもよいが、閉じた際に内向きになる縁部に角の無い形状とすると好ましい。例えば、多角形の角となる部分に丸みを付けた形状としてもよい。本実施態様の花立ては、図５に示すように、それぞれの開閉片３を略半円形状としている。それぞれの開閉片３は、その直径（弦）に一致する部分でヒンジ２に軸支させており、それぞれの開閉片３を閉じた際に内向きとなる縁部に角が無いようにしている。
【００２８】
開閉片３の寸法は、花挿込口１の形状や寸法によっても異なり、特に限定されない。本実施態様の花立てにおいては、図５に示すように、それぞれの開閉片３を独立して操作することができるように、それぞれの開閉片３の直径（弦）に一致する部分の長さを花挿込口１の一辺の長さよりも短くしており、開閉片３を内側に倒伏させた際に、隣り合う開閉片３が互いに重ならないようにしている。このため、開閉片３を閉じた際には、隣り合う開閉片３の間に隙間４が形成されるようになっている。
【００２９】
本実施態様の花立てにおいては、図５に示すように、開閉片３を略半円形状に形成しているので、開閉片３を閉じた際に隣り合う開閉片３の間に形成される隙間４は、内側になるに連れて徐々に広くなっている。このため、隙間４に花の茎などを嵌入して保持させることができるようになっている。したがって、開閉片３を閉じた際に内向きとなる縁部に切欠や突起を設けなくても、花立てに対して花を容易に位置決めすることができるようになっている。
【００３０】
それぞれの開閉片３は、内側又は外側に倒伏した際に、傾斜した（非水平な）状態で保たれるようにしてもよいが、水平に保たれるようにすると好ましい。本実施態様の花立てにおいては、図４に示すように、ヒンジ２を、ヒンジ２よりも幅広な花立ての上端面に取り付けている。このため、ヒンジ２に取り付けられた開閉片３は、内側に倒伏した際には、その軸支されている基端部近傍が前記上端面の内縁側に突き当たり（図４のＡ部）、外側に倒伏した際には、その軸支されている基端部近傍が前記上端面の外縁側に突き当たるようになっている（図４のＢ部）。
【００３１】
ところで、開閉片３の素材は、必要な強度を有するものであれば特に限定されないが、それぞれの開閉片３が、表面に防錆処理が施された金属板によって形成されていると好ましい。これにより、開閉片３に十分な強度を付与するとともに、開閉片３を防錆性に優れたものとすることも可能になる。また、開閉片３の表面に光沢処理を行うことも好ましい。これにより、日光を開閉片３で反射させ、鳥などが花立てに近づかないようにすることも可能になる。
【００３２】
図６は、本発明の他の実施態様の花立てを上方から見た状態を示した平面図である。図６の花立ては、正六角形に形成された花挿込口１における６本の辺に沿ってヒンジ２が１つずつ設けられたものとなっている。それぞれの開閉片３は、略半楕円形状に形成されている。その他の部分については、図１〜図５に示した花立てと同様であるために、説明を割愛する。
【００３３】
本発明の花立ては、その用途を限定されることなく、各種用途に用いることができるが、特に屋外用の花立てとして好適に用いることができる。屋外では、鳥や虫が飛んできたり、風が吹いたり、日光を浴びやすかったりするために、屋外用の花立ては、上述した鳥害や、花の傾き、水の蒸発、虫の発生といった種々の問題を生じやすいからである。屋外用の花立てとしては、墓用の花立てなどが例示される。
【図面の簡単な説明】
【００３４】
【図１】本発明の花立てにおける開閉片を外側に倒伏させた状態を示した斜視図である。
【図２】本発明の花立てにおける開閉片を内側に倒伏させた状態を示した斜視図である。
【図３】本発明の花立てにおける開閉片の周辺を拡大した状態を示した斜視図である。
【図４】本発明の花立てにおける開閉片の周辺を拡大してヒンジに平行な方向から見た状態を示した図である。
【図５】本発明の花立てを上方から見た状態を示した平面図である。
【図６】本発明の他の実施態様の花立てを上方から見た状態を示した平面図である。
【符号の説明】
【００３５】
１  花挿込口
２  ヒンジ
３  開閉片
４  隙間
ｒＭＡＸ  最大半径
ｒＭＩＮ  最小半径
【図１】
2010094194.tif 000003
【図２】
2010094194.tif 000004
【図３】
2010094194.tif 000005
【図４】
2010094194.tif 000006
【図５】
2010094194.tif 000007
【図６】
2010094194.tif 000008
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
花を挿し込むための花挿込口が上部に設けられた花立てであって、
花挿込口の内外に倒伏可能な複数の開閉片が、花挿込口の周縁に沿って設けられた複数のヒンジに軸支され、
それぞれの開閉片を内側に倒伏させた際には、それぞれの開閉片が花挿込口の中心部を除く周部に覆い被さって花挿込口が縮小され、
それぞれの開閉片を外側に倒伏させた際には、花挿込口の周部が現れて花挿込口が拡大されることを特徴とする花立て。
【請求項２】
それぞれの開閉片を内側に倒伏させた際には、花挿込口の最大半径ｒｍａｘに対する最小半径ｒｍｉｎの比ｒｍｉｎ／ｒｍａｘが０．２以上となる範囲で花挿込口が縮小される請求項１記載の花立て。
【請求項３】
それぞれの開閉片が、内側に倒伏した際に水平に保たれるようにし、それぞれの開閉片を内側に倒伏させて水平にした際に、比ｒｍｉｎ／ｒｍａｘが０．２以上となる範囲で花挿込口が縮小される請求項２記載の花立て。
【請求項４】
花挿込口が多角形に形成され、それぞれの開閉片が、略半円形状又は略半楕円形状に形成されてその弦に一致する部分で花挿込口の各辺に沿って設けられた複数のヒンジに軸支され、開閉片を内側に倒伏させた際に、隣り合う開閉片の間に隙間が形成されて、開閉片が互いに重ならないようにした請求項１〜３いずれか記載の花立て。
【請求項５】
それぞれの開閉片が、その表面に光沢処理を施された金属板によって形成された請求項１〜４いずれか記載の花立て。
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
花を挿し込むための正六角形又は正八角形の花挿込口が上部に設けられた花立てであって、
花挿込口の内外に倒伏可能な６枚又は８枚の略半円形状又は略半楕円形状に形成された開閉片が、その弦に一致する部分で花挿込口の周縁に沿って設けられた複数のヒンジに軸支され、
それぞれの開閉片を内側に倒伏させた際には、それぞれの開閉片が花挿込口の中心部を除く周部に覆い被さって水平に保たれ、花挿込口の最大半径ｒｍａｘに対する最小半径ｒｍｉｎの比ｒｍｉｎ／ｒｍａｘが０．２以上となる範囲で花挿込口が縮小されるとともに、隣り合う開閉片が互いに重ならず、開閉片の間に隙間が形成され、
それぞれの開閉片を外側に倒伏させた際には、花挿込口の周部が現れて花挿込口が拡大されることを特徴とする花立て。
【請求項２】
それぞれの開閉片が、その表面に光沢処理を施された金属板によって形成された請求項１記載の花立て。